(57)【要約】【課題】低身長者等でもシート幅規制板を手動操作して、高い位置にシート材を確実にセットできるシート材給送装置を提供する。【解決手段】画像形成装置の最も高い位置にシート材給送装置１が配置されている。原稿束を載置する原稿載置台２の上面には、ピニオンギアにより連動されて対向間隔を拡大／縮小する一対のシート幅規制板２ａ、２ｂが配置される。原稿載置台２の側面に手動操作用の回転ダイヤル８０が配置され、回転ダイヤル８０とピニオンギアとは、歯付きベルトによって連繋されている。原稿載置台２に原稿束を載置した後、操作者は回転ダイヤル８０を回転させてシート幅規制板２ａ、２ｂの対向間隔を狭め、原稿束を原稿載置台２の中央に幅寄せして位置決める。【選択図】図３
2008044780.tif 000002
【特許請求の範囲】
【請求項１】
シート材を載置した載置面に沿って移動させてシート材の側面に当接可能な幅規制部材と、
前記幅規制部材によって前記側面を位置決めされたシート材を前記載置面から給送する給送手段と、を備えたシート材給送装置において、
前記幅規制部材の当接方向における前記載置面の外側位置にて、前記幅規制部材の移動を手動操作する操作手段を備えたことを特徴とするシート材給送装置。
【請求項２】
前記幅規制部材は、シート材の対向する両側面に対応させて一対配置され、
前記操作手段は、一対の前記幅規制部材を同時に移動させて前記当接方向の対向間隔を拡大縮小させることを特徴とする請求項１記載のシート材給送装置。
【請求項３】
前記載置面の裏面側に配置されて一対の前記幅規制部材を連動させる回転部材を備え、
前記操作手段は、前記回転部材に連動させて前記外側位置に配置した手動回転可能な操作回転部材を含むことを特徴とする請求項２記載のシート材給送装置。
【請求項４】
前記載置面を一体に形成した積載トレイ部材を備え、
前記回転部材は、一対の前記幅規制部材にそれぞれ固定したラックを連動させるピニオンギアであって、
前記操作回転部材は、前記積載トレイ部材における前記当接方向の側面から部分的に露出させて回転可能に取り付けられ、歯付きベルトを用いて前記ピニオンギアに連動させた回転ダイヤルであることを特徴とする請求項３記載のシート材給送装置。
【請求項５】
シート材を載置する原稿載置台と、
前記原稿載置台の載置面に沿って移動させてシート材の側面に当接可能な幅規制部材と、
前記幅規制部材によって前記側面を位置決めされたシート材を前記載置面から給送する給送手段と、を有するシート材給送装置において、
前記シート材給送装置を操作する操作者に向かう方向を装置の前方としたとき、前記原稿載置台の側面であって前記装置の前方に設けられ、前記幅規制部材の移動を手動操作する操作手段を有することを特徴とするシート材給送装置。
【請求項６】
読み取り原稿の原稿面画像を光学的に読み取って電気信号に変換する読み取り手段を備えた画像読み取り装置において、
読み取り原稿としてのシート材を前記読み取り手段に給送する請求項１乃至５いずれか１項記載のシート材給送装置を備えたことを特徴とする画像読み取り装置。
【請求項７】
請求項６記載の画像読み取り装置と、
前記画像読み取り装置が生成した前記電気信号を用いて記録材に画像形成する画像形成手段を有する画像形成装置本体と、を備え、
前記画像読み取り装置が前記画像形成装置本体の上部に設けられたことを特徴とする画像形成装置。
【発明の詳細な説明】
【技術分野】
【０００１】
本発明は、画像読み取り装置を備えた画像形成装置、詳しくは、画像読み取り装置の原稿自動給送装置に原稿をセットする際の操作性を高める構造に関する。また、画像形成装置の画像読み取り装置以外の用途に利用されるシート材給送装置に関する。
【背景技術】
【０００２】
原稿自動給送装置（ＡＤＦ）を有する画像読み取り装置を備えた各種の画像形成装置が実用化されている。原稿自動給送装置は、積み重ねて載置面にセットした原稿束から原稿を１枚ずつ分離して、画像読み取り装置の読み取り部へ給送する。画像読み取り装置は、給送された原稿の原稿面画像を光学的に読み取って電気信号に変換し、画像形成装置は、画像読み取り装置が生成した電気信号を用いて記録材に画像形成する。
【０００３】
特許文献１には、原稿自動給送装置を有する画像読み取り装置を備えた静電写真方式の複写機が示される。ここでは、読み取り原稿の積載トレイが画像形成装置の最上面に配置され、操作者は、原稿束を積載トレイに載置した後にシート幅規制板を直接に手で移動させて原稿束の側面に当接させる。
【０００４】
図５は特許文献１に示されるシート幅規制板の機構を下から見た説明図である。図５に示すように、シート幅規制板１０２ａ、１０２ｂは、原稿載置台１０２上に原稿束の側面に対する当接部を配置して、原稿載置台１０２下にシート幅規制板１０２ａ、１０２ｂの駆動機構を配置している。シート幅規制板１０２ａ、１０２ｂには、それぞれラック１０２ｃ、１０２ｄが一体に成形され、ラック１０２ｃ、１０２ｄは、中央に配置されたピニオンギア１０２ｅに噛み合っている。
【０００５】
従って、シート幅規制板１０２ａを内側へ手で動かすと、シート幅規制板１０２ｂも内側へ移動して、原稿載置台１０２上の原稿束の斜行を正し、中央へ幅寄せして原稿束の両側面を挟み込む。シート幅規制板１０２ａ、１０２ｂは、載置された原稿束を原稿載置台１０２の中央に位置決める位置決め機構と、原稿束の側面を揃える整合機構とを兼ねている。
【０００６】
また、ピニオンギア１０２ｅにはロータリーボリューム（回転式可変抵抗器：ポテンショメータ）１０２ｆが取り付けられ、最終的なシート幅規制板１０２ａ、１０２ｂの対向間隔が原稿幅データとしてロータリーボリューム１０２ｆから取り出される。原稿面画像の画像読み取りや記録材への画像形成は、この原稿幅データを用いて行われるので、シート幅規制板１０２ａ、１０２ｂは、原稿幅の測定装置も兼ねている。
【０００７】
【特許文献１】特開２００５−１５４１２７号公報
【発明の開示】
【発明が解決しようとする課題】
【０００８】
特許文献１に示される原稿自動給送装置では、画像形成装置の正面側から原稿載置台に原稿束を載置し、一対のシート幅規制板を両手で幅寄せて原稿束の前後の側面に当接させる手順で原稿束をセットする。従って、高さが１ｍを越えて奥行きのある画像形成装置の最高部に配置された原稿載置台の上にかがみ込む姿勢で原稿束をセットする必要がある。
【０００９】
このとき、小学生等の低身長者や車椅子に座ったままの傷病人等は、シート幅規制板の操作が容易でなく、原稿束の奥側の側面とシート幅規制板との当接状態を確認することも容易ではない。原稿束の奥側の側面とシート幅規制板との当接状態を確認しながらシート幅規制板を移動させることはさらに困難である。
【００１０】
そのため、シート幅規制板が正しく位置決めされないまま画像読み取り、画像形成が開始されてしまう可能性があった。シート幅規制板が正しく位置決めされないまま原稿の給送が開始されると、原稿が斜行して原稿読み取り装置内でジャムやシート破損を引き起す可能性がある。原稿サイズの判断を誤って原稿よりもサイズの大きな記録材に画像形成される可能性もある。
【００１１】
本発明は、低身長者等でもシート幅規制板を手動操作して、高い位置にシート材を確実にセットできるシート材給送装置を提供することを目的としている。
【課題を解決するための手段】
【００１２】
本発明のシート材給送装置は、シート材を載置した載置面に沿って移動させてシート材の側面に当接可能な幅規制部材と、前記幅規制部材によって前記側面を位置決めされたシート材を前記載置面から給送する給送手段とを備えたものである。前記幅規制部材の当接方向における前記載置面の外側位置にて、前記幅規制部材の移動を手動操作する操作手段を備えている。
【００１３】
また、本発明のシート材給送装置は、シート材を載置する原稿載置台と、前記原稿載置台の載置面に沿って移動させてシート材の側面に当接可能な幅規制部材と、前記幅規制部材によって前記側面を位置決めされたシート材を前記載置面から給送する給送手段とを有するものである。前記シート材給送装置を操作する操作者に向かう方向を装置の前方としたとき、前記原稿載置台の側面であって前記装置の前方に設けられ、前記幅規制部材の移動を手動操作する操作手段を有する。
【発明の効果】
【００１４】
本発明のシート材給送装置では、シート材の載置面の外側で操作手段を手動操作することにより、幅規制部材を移動させて載置面におけるシート材の幅方向の位置決めと側面合わせ（揃え）とを実行できる。従って、操作手段には手が届くが幅規制部材には手が届かない低身長者等が、無理な姿勢や操作を強要されることなく、容易に幅規制部材を移動させて、シート材の幅方向の位置決めを正確に行える。これにより、給送時のシート材の姿勢が安定してシート材の確実な給送が可能となる。
【発明を実施するための最良の形態】
【００１５】
以下、本発明の実施形態である画像形成装置１００について、図面を参照して詳細に説明する。本発明のシート材給送装置、画像読み取り装置、および画像形成装置は、以下に説明する実施形態の限定的な構成には限定されない。原稿を載置した外側で手動操作してシート幅規制板を移動させ得る限りにおいて、実施形態の構成の一部または全部を、その代替的な構成で置き換えた別の実施形態でも実現可能である。
【００１６】
本実施形態の画像形成装置は、プリンタに限らず、各種印刷機、複写機、ＦＡＸ、複合機等、種々の用途の画像形成装置として実現できる。静電写真方式に限らず磁気記録方式、インクジェット方式、各種印刷方式の画像形成装置として実現できる。
【００１７】
本発明のシート材給送装置は、画像読み取り装置を搭載したＦＡＸ、複合機、加工装置、現金自動支払機（ＣＤ）にも利用できる。文書読み取り装置（ＯＣＲ）、翻訳装置、画像データ蓄積装置、業務用スキャナ、家庭用スキャナ等の単独使用される画像読み取り装置にも利用できる。画像読み取り装置以外のシート材加工装置、振り分け装置、積載／整合装置等にも利用できる。
【００１８】
なお、特許文献１に示される画像形成装置の詳細構造と各部動作とについては、繰り返しの煩雑を回避すべく、図示を省略して詳細な説明も省略する。
【００１９】
＜第１実施形態＞
図１は第１実施形態の画像形成装置の断面構成を示す説明図、図２はシート材給送装置の断面構成を示す説明図である。図３はシート材給送装置の斜視図、図４はシート幅規制板の機構構成を下から見た説明図である。第１実施形態は、本発明の一実施形態としてのシート材給送装置を装備する画像読み取り装置および画像形成装置の一例として、複写機に適用した実施形態を具体的に説明している。
【００２０】
図１に示すように、画像形成装置（複写機）１００の本体部分は、原稿の原稿面画像を読み取る画像読み取り装置１０を、記録材に画像形成する画像形成装置本体１１の上部に配置して構成される。画像形成装置本体１１の下流側には、画像形成された記録材を仕分け、束綴じ、積載等する記録材処理装置１４が配置される。
【００２１】
画像読み取り装置１０は、画像読取対象の原稿に記録された原稿面画像の画像情報を光学的に読み取り、光電変換して電気信号を生成し、電気信号を画像データに変換して画像形成装置本体１１に入力する。
【００２２】
画像読み取り装置１０は、ランプ１２、ミラー１３等を有するスキャナユニット７を、原稿を載置したプラテンガラス６Ａ下で図中左右方向に移動させて、原稿面画像を読み取り可能である。また、シート材給送装置１によって原稿をプラテンガラス６Ｂ上に１枚ずつ給送させ、停止させたスキャナユニット７上を通過する原稿面画像をいわゆる流し読みにより読み取り可能である。スキャナユニット７で検知した画像は、ミラー１５、１６、レンズ１７を経てイメージセンサ１８に導かれ、イメージセンサ１８によって線画像を読み取られる。
【００２３】
画像形成装置本体１１は、画像読み取り装置１０で読み取った原稿面画像を記録材に複写する他に、制御部１１０が外部から受信した画像データを記録材にプリントアウトすることも可能である。普通紙、ＯＨＰシート等の記録材は、手差しガイド２４、上下段のカセット２０、２１、記録材デッキ２８に積載して供給される。
【００２４】
カセット２０、２１に収容された記録材は、不図示の分離爪と給送ローラ２２、２３との作用によって１枚ずつ分離給送されて、レジストローラ対２６に導かれる。手差しガイド２４に載置された記録材は、１枚ずつ給送ローラ２５により給送されてレジストローラ対２６に導かれる。記録材デッキ２８は、モータ等により昇降する中板２７を備えて大量の記録材を載置できる。中板２７上の記録材は、図示しない分離爪と給送ローラ２９の作用により１枚ずつ分離給送されて搬送ローラ対３０を経てにレジストローラ対２６に導かれる。
【００２５】
画像形成装置１００は、画像形成手段である感光体ドラム３２の周囲に、露光光学系３３、現像器３４、転写帯電器３５、分離帯電器３６等を配置している。露光光学系３３は、一様に帯電された感光体ドラム３２の表面に、展開された画像データがパルス変調されたレーザービームを走査して静電潜像を形成する。現像器３４は、感光体ドラム３２の表面にトナーを付着させて静電潜像を現像してトナー像を形成する。
【００２６】
転写帯電器３５は、トナー像にタイミングを合わせてレジストローラ対２６から送出された記録材を帯電させて感光体ドラム３２から記録材へトナー像を静電気的に転写させる。分離帯電器３６は、トナー像が転写された記録材を帯電させて感光体ドラム３２からの分離を容易にする。
【００２７】
転写帯電器３５の下流側には、搬送ベルト３７、定着装置３８、搬送ローラ対３９、フラッパ４０、排出ローラ対４１が配置される。トナー像を転写された記録材は、搬送ベルト３７によって定着装置３８へ搬送され、定着装置３８にて加圧加熱を受けてトナー像を定着される。画像形成された記録材は、フラッパ４０によって排出ローラ対４１に導かれて記録材処理装置１４に排出される。
【００２８】
しかし、両面コピーおよび多重コピーの場合、フラッパ４０を偏向させて搬送ローラ対３１に記録材を導き、搬送ベルト４２、フラッパ４３、搬送ベルト４４、搬送ローラ対４５によって中間トレイ１９に記録材を積載する。両面コピーの場合にはパス４６を通して中間トレイ１９に記録材を導き、多重コピーの場合にはパス４７を通して中間トレイ１９に記録材を導く。
【００２９】
中間トレイ１９に載置された記録材は、補助ローラ４９、５０、正逆転分離ローラ対５１の作用によって、下方から一枚ずつ分離されて感光体ドラム３２へ再給送される。再給送される記録材は、搬送ローラ対５３、５４、５５、３０を経てレジストローラ対２６で待機し、トナー像にタイミングを合わせて感光体ドラム３２へ給送され、トナー像を転写される。その後は、前述したように定着を経て記録材処理装置１４に排出される。
【００３０】
記録材処理装置１４に排出された記録材は、ノンソートモードの場合、バッファローラ６１、フラッパ６２、ノンソートモードパス６３を経て排出ローラ対６４によりサンプルトレイ６５上に排出して載置される。しかし、ソートモードの場合、バッファローラ６１、フラッパ６６、ソートモードパス６７を介して排出ローラ対６８により処理トレイ６９上に排出され、一時的に載置される。処理トレイ６９上の記録材束は、図示しない整合部材により両端部が整合され、後端部がステイプラ７０により束綴じされた後に、束排出ローラ対７１によりスタックトレイ７２に排出して積載される。
【００３１】
図２に示すように、シート材給送装置（ＡＤＦ：Ａｕｔｏ  Ｄｏｃｕｍｅｎｔ  Ｆｅｅｄｅｒ）１は、原稿の載置面を規定する載置台としての原稿載置台２を上部に有している。原稿載置台２に載置された原稿束は、給送ローラ３により順次その最上位から原稿を繰り出される。分離搬送ローラ４及び分離パッド５は、繰り出された原稿を一枚ずつに分離して、画像読み取り装置１０のプラテンガラス６Ｂへ搬送される。
【００３２】
そして、プラテンガラス６Ｂ下で停止させたスキャナユニット７により原稿面画像を読み取った後、原稿は、排出ローラ８により排出トレイ９上に排紙される。尚、原稿は上から順に１ページ（２ページ）、３ページ（４ページ）…の順番で排出トレイ９上に排紙される。
【００３３】
図３に示すように、原稿載置台２の上面には、シート幅規制板２ａ、２ｂが設けられている。シート幅規制板２ａ、２ｂは、原稿載置台２に積載された原稿の幅方向にスライド移動可能に配置され、原稿載置台２下の駆動機構（図４参照）によって連動している。シート幅規制板２ａ、２ｂは、連動して対向間隔を拡大／縮小し、原稿載置台２上に載置された原稿束の両側端に当接して原稿束を原稿載置台２の中央に幅寄せする。シート幅規制板２ａ、２ｂは、原稿載置台２上で原稿束を位置決めて、原稿束の側面の位置を規定し、原稿給送時の斜行（スキュー）を防止する。
【００３４】
原稿載置台２の側面には、ローレットを形成して操作時の摩擦を大きくした回転ダイヤル８０が配置されている。回転ダイヤル８０は、シート幅規制板２ａ、２ｂに機構的に連動しており、手動操作により回転させると、シート幅規制板２ａ、２ｂが原稿束の幅方向に移動する。従って、原稿載置台２に原稿束を載置した後、シート幅規制板２ａ、２ｂが原稿束の両側面に当接するまで回転ダイヤル８０を回転させることにより、原稿束を原稿載置台２の中央に幅寄せして位置決めできる。
【００３５】
図４に示すように、原稿載置台２の裏面側には、シート幅規制板２ａ、２ｂにそれぞれ固定してラック２ｃ、２ｄが設けられている。ラック２ｃ、２ｄは、長手方向を原稿束の幅方向に配置しており、原稿載置台２の裏面側中央部に回転自在に配置されたピニオンギア２ｅの歯部に、ラック２ｃ、２ｄの歯部が噛合している。
【００３６】
また、回転ダイヤル８０は、原稿載置台２の原稿載置面の裏側で、かつ、手前（装置の前方）側に配置され、原稿載置台２の側面からその一部分が手前側に見えている。なお、ここで、装置の前方とは画像形成装置１００を操作する操作者に向かう方向である。回転ダイヤル８０は、原稿載置台２に対して回転自在に保持されており、ピニオンギア２ｅと回転ダイヤル８０とは、歯付きベルト８１で連結されている。
【００３７】
これにより、回転ダイヤル８０を使用者が手で回転させると、その回転は歯付きベルト８１を通じてピニオンギア２ｅに伝達され、ピニオンギア２ｅが回転する。これにより、シート幅規制板２ａ、２ｂが原稿束の幅方向へ対称的にスライド移動して、原稿束の両側面に当接する。その結果、原稿束を、原稿載置台２の中央位置に、かつ搬送方向と平行に位置決めできる。
【００３８】
ピニオンギア２ｅには、原稿束の幅を検知するロータリーボリューム（回転式可変抵抗器：ポテンショメータ）２ｆが固定されている。このロータリーボリューム２ｆの回転量（抵抗分圧値）により、一対のシート幅規制板２ａ、２ｂのシート幅方向の離間距離を検知し、すなわち原稿載置台２上に載置された原稿の幅を検知することができる。
【００３９】
＜第２実施形態および変形例＞
第１実施形態では、図４に示すように、ピニオンギア２ｅと回転ダイヤル８０とを機械的に連動させるために歯付きベルト８１を用いた。しかし、ピニオンギア２ｅと回転ダイヤル８０とを機械的に連動させる機構は歯付きベルト８１には限定されない。第２実施形態では、ピニオンギア２ｅと回転ダイヤル８０とをギア列で連結して回転伝達を行う。
【００４０】
また、第１実施形態では、図４に示すように、一対のシート幅規制板２ａ、２ｂが連動して前後対称的に移動し、原稿束の両側面に当接するものとした。しかし、シート幅規制板２ａ、２ｂは、一方を固定壁として、固定壁に向かってシート幅規制板が移動して原稿束を固定壁に押し当てる構成としてもよい。変形例では、手前側のシート幅規制板２ａのみを回転ダイヤル８０に連動させて原稿束の幅方向へ移動可能とするとともに、奥側のシート幅規制板２ｂを原稿載置台２と一体に成形した固定壁に置き換える。
【００４１】
変形例では、原稿載置台の奥側に配置された固定壁に向かって手前側のシート幅規制板２ａを幅寄せることにより、シート束を位置決め／整合する。
【００４２】
＜発明との対応＞
第１実施形態のシート材給送装置１は、原稿束ＧＡを載置した載置面に沿って移動させて原稿束ＧＡの側面に当接可能なシート幅規制板２ａ、２ｂと、シート幅規制板２ａ、２ｂによって前記側面を規制された原稿束ＧＡを前記載置面から給送する給送ローラ３とを備えたものである。シート幅規制板２ａ、２ｂの当接方向における前記載置面の外側位置にて、前記シート幅規制板２ａ、２ｂの移動を手動操作する回転ダイヤル８０を備えている。
【００４３】
シート材給送装置１では、原稿束ＧＡの載置面の外側で回転ダイヤル８０を手動操作することにより、シート幅規制板２ａ、２ｂを移動させて原稿束ＧＡの位置決めと側面合わせとを実行できる。従って、回転ダイヤル８０には手が届くがシート幅規制板２ａ、２ｂには手が届かない低身長者等が、無理な姿勢や操作を強要されることなく、容易にシート幅規制板２ａ、２ｂを移動させて、原稿束ＧＡの幅方向の位置決めを正確に行える。これにより、給送時の原稿束ＧＡの姿勢が安定して原稿束ＧＡの確実な給送が可能となる。
【００４４】
第１実施形態のシート材給送装置１におけるシート幅規制板２ａ、２ｂは、原稿束ＧＡの対向する両側面に対応させて一対配置され、回転ダイヤル８０は、一対のシート幅規制板２ａ、２ｂを同時に移動させて前記当接方向の対向間隔を拡大縮小させる。
【００４５】
第１実施形態のシート材給送装置１は、前記載置面の裏面側に配置されて一対のシート幅規制板２ａ、２ｂを連動させるピニオンギア２ｅを備える。回転ダイヤル８０は、ピニオンギア２ｅに連動させて前記外側位置に配置した手動回転可能な回転ダイヤル８０を含む。
【００４６】
シート材給送装置１における載置面は、原稿束ＧＡの載置面を一体に形成したトレイ状の原稿載置台２によって形成される。回転部材は、一対のシート幅規制板２ａ、２ｂにそれぞれ固定したラック２ｃ、２ｄを連動させるピニオンギア２ｅである。操作回転部材は、原稿載置台２におけるシート幅規制板２ａ、２ｂの当接方向の側面から部分的に露出させて回転可能に取り付けられ、歯付きベルト８１を用いてピニオンギア２ｅに連動させた回転ダイヤル８０である。
【００４７】
ただし、操作回転部材は、原稿束ＧＡの載置面の外側に回転軸を配置してハンドル部分が原稿束ＧＡの上空を一部オーバーラップして旋回する回転半径の大きなクランクハンドルとしてもよい。回転半径が大きいほうが、小さな操作力で大きな幅寄せ力を発揮できるからである。
【００４８】
また、操作回転部材は、原稿載置台２の側面に露出させて垂直な回転面で回転操作する操作ハンドルとしてもよい。操作ハンドルは、原稿載置台２の側面から軸端を露出した送りねじを回転させる。送りねじは、原稿載置台２の裏面側を貫通して配置され、原稿束ＧＡの中心線で左ねじ部と右ねじ部とを接合してあり、一対のシート幅規制板２ａ、２ｂにそれぞれ取り付けた左ねじナット、右ねじナットを連繋させる。操作ハンドルを回転させると、左ねじナット、右ねじナットが対称に軸方向移動して、一対のシート幅規制板２ａ、２ｂの対向間隔が拡大／縮小する。
【００４９】
また、「シート材の載置面を形成する部材」は、原稿束ＧＡの載置面を一体に形成した原稿載置台２には限定されない。一対のシート幅規制板２ａ、２ｂの対向方向に載置面が二分割されてそれぞれシート幅規制板２ａ、２ｂに固定された実施形態、言い換えればＬ型の載置面を兼ねたシート幅規制板が対向方向へ連繋して移動する実施形態も含む。
【００５０】
第１実施形態の画像読み取り装置１０は、読み取り原稿の原稿面画像を光学的に読み取って電気信号に変換するスキャナユニット７、イメージセンサ１８を備えたものである。読み取り原稿としてのシート材をスキャナユニット７に給送するシート材給送装置１を備える。
【００５１】
第１実施形態の画像形成装置１００は、シート材給送装置１を装備した画像読み取り装置１０と、画像読み取り装置１０が生成した前記電気信号を用いて記録材に画像形成する感光体ドラム３２、露光光学系３３、現像器３４とを備える。
【図面の簡単な説明】
【００５２】
【図１】第１実施形態の画像形成装置の断面構成を示す説明図である。
【図２】シート材給送装置の断面構成を示す説明図である。
【図３】シート材給送装置の斜視図である。
【図４】シート幅規制板の機構構成を下から見た説明図である。
【図５】特許文献１に示されるシート幅規制板の機構を下から見た説明図である。
【符号の説明】
【００５３】
１  シート材給送装置
２  載置面（原稿載置台）
２ａ、２ｂ  幅規制部材（シート幅規制板）
２ｃ、２ｄ  ラック
２ｅ  回転部材（ピニオンギア）
２ｆ  ロータリーボリューム
３  給送手段（給送ローラ）
４  分離搬送ローラ
５  分離パッド
６Ａ、６Ｂ  プラテンガラス
７、１８  読み取り手段（スキャナユニット、イメージセンサ）
８  排出ローラ
９  排出トレイ
１０  画像読み取り装置
１１  画像形成装置本体
１２  ランプ
１３、１５、１６  ミラー
１７  レンズ
３２、３３、３４  画像形成手段（感光体ドラム、露光光学系、現像器）
ＧＡ  シート材（原稿束）
８０  操作手段、操作回転部材（回転ダイヤル）
８１  歯付きベルト
【図１】
2008044780.tif 000003
【図２】
2008044780.tif 000004
【図３】
2008044780.tif 000005
【図４】
2008044780.tif 000006
【図５】
2008044780.tif 000007